(57)【特許請求の範囲】
【請求項１】
中空二重壁構造からなる底壁の各辺に起倒自在に軸止めして連結された中空二重壁構造からなる側壁を有し、各側壁を起立させて上面が開放した箱形の容器を構成するコンテナであって、
底壁の各辺に連結される側壁のうち対向する一対の側壁を、底壁の上面に接して折り畳めるように底壁側に軸止めするとともに、対向する他の一対の側壁を、底壁の上面に接して折り畳んだ上記一対の側壁の上面に接して折り畳めるように底壁側に軸止めして成り、
一対の側壁または他の一対の側壁の少なくとも一方の軸止め側端縁とそれに対応する底壁の部位との間に、一方が水平方向に突出した係止突部で他方が前記係止突部に対応する水平方向に開口した係止溝からなる起立係止構造を備え、側壁を起立させることにより係止突部と係止溝とが嵌合状態に保持されるとともに、前記係止突部に形成された水平状の先端が前記係止溝に形成された水平状の受け部に係止されコンテナ内に加わる押し下げ方向の荷重を受け止める
ことを特徴とするコンテナ。
【請求項２】
前記係止突部と前記係止溝からなる起立係止構造および側壁と底壁の連結される軸止め部の間には一方が係止爪で他方が係止受溝からなる起立係止構造を備え、側壁を起立させることにより前記係止爪が前記係止受溝に係止され起立させた側壁が垂直姿勢に保持されることを特徴とする請求項１記載のコンテナ。
【発明の詳細な説明】
【０００１】
【発明の属する技術分野】
本発明は、底壁の各辺に軸止め構造により起倒自在の側壁を有し、各側壁を起立させるだけで上面が開放した箱形の容器を構成することができるとともに、使用しないときには底壁に対して側壁を全て平坦状に折り畳むことができるコンテナに関するものである。
【０００２】
【従来の技術】
従来、物品の収納や運搬等のために使用されるコンテナであって、底壁に対して側壁が展開自在であり、使用時に側壁を起立させて組み立てる構造の組立式コンテナは、特開昭６３−８２９４１号公報または特許第２９５８３３９号公報に記載されているものなどが知られている。そして、この種の組立式コンテナは、底壁の各辺に薄肉のヒンジを介して側壁を起倒自在に設けており、隣接する側壁を互いに係合してコンテナを組み立てる構造となっている。
【０００３】
また、物品の収納や運搬等のために使用されるコンテナであって、底壁に対して側壁が展開自在であり、使用時に側壁を起立させて組み立てる構造の組立式コンテナは、特開平１０−１０１０６６号公報または特開平１０−１０１０６７号公報に記載されているものなどが知られている。そして、この種の組立式コンテナは、底壁の各辺に軸止め構造のヒンジを介して側壁を起倒自在に設けており、隣接する側壁を起立させたうえ互いに係合してコンテナを組み立てる構造となっている。
【０００４】
【発明が解決しようとする課題】
ところで、特開昭６３−８２９４１号公報または特許第２９５８３３９号公報に記載されているような組立式コンテナにおいては、コンテナを解体すれば、コンテナを構成する底壁を中心に各側壁が展開して平面状になるとしても、それらが大きく拡がり方向に嵩張ってしまい、収納、保管あるいは運搬などにあたって甚だ不便である。また、各側壁は、薄肉のヒンジによって底壁に連接されているだけであるから、側壁に押し下げ方向の荷重が加わると、その荷重は薄肉のヒンジで受け止められるので、ヒンジが薄肉であることとと相俟ってそれが破断するおそれがあった。
【０００５】
一方、特開平１０−１０１０６６号公報または特開平１０−１０１０６７号公報に記載されている従来のコンテナにあっては、底壁に対して各側壁を平坦状に折り畳むことができるので、収納、保管あるいは運搬などに便利であり、また、各側壁は軸止め構造のヒンジによって底壁に連接されているので、各側壁に押し下げ方向の荷重が加わっても、破損のおそれは少ない。しかし、各側壁を起立状態の姿勢に確実に保持する機構を有していないので、殊にコンテナが大型の場合には、起立させた互いに隣接する側壁を係止する過程で側壁が倒れやすく、一人作業ではコンテナの組み立てが必ずしも容易でないのが実情である。
【０００６】
そこで、本発明の目的は、底壁の各辺に起倒自在に連結されている側壁、すなわち対向する一対の側壁および対向する他の一対の側壁とも底壁の上面側に沿って折り畳むことができて、使用しないときには底壁の大きさにコンパクトにまとまって、収納、保管あるいは運搬などに便利であり、コンテナを組み立てる際には、各側壁を起立させるだけで、その起立姿勢の保持が確実に成されて、簡易かつ迅速にコンテナを構成することができるようにするものである。
【０００７】
【課題を解決するための手段】
上記目的を達成するための本発明の請求項１に係るコンテナは、中空二重壁構造からなる底壁の各辺に起倒自在に軸止めして連結された中空二重壁構造からなる側壁を有し、各側壁を起立させて上面が開放した箱形の容器を構成するコンテナであって、底壁の各辺に連結される側壁のうち対向する一対の側壁を、底壁の上面に接して折り畳めるように底壁側に軸止めするとともに、対向する他の一対の側壁を、底壁の上面に接して折り畳んだ上記一対の側壁の上面に接して折り畳めるように底壁側に軸止めして成り、一対の側壁または他の一対の側壁の少なくとも一方の軸止め側端縁とそれに対応する底壁の部位との間に、一方が水平方向に突出した係止突部で他方が前記係止突部に対応する水平方向に開口した係止溝からなる起立係止構造を備え、側壁を起立させることにより係止突部と係止溝とが嵌合状態に保持されるとともに、前記係止突部に形成された水平状の先端が前記係止溝に形成された水平状の受け部に係止されコンテナ内に加わる押し下げ方向の荷重を受け止めることを特徴とするものである。
【０００８】
また、本発明の請求項２に係るコンテナは、請求項１の構成において、前記係止突部と前記係止溝からなる起立係止構造および側壁と底壁の連結される軸止め部の間には一方が係止爪で他方が係止受溝からなる起立係止構造を備え、側壁を起立させることにより前記係止爪が前記係止受溝に係止され起立させた側壁が垂直姿勢に保持されることを特徴とするものである。
【００１０】
【発明の実施の形態】
図１は本発明の一実施の形態に係る組立式コンテナの全体斜視図、図２はその一対の側壁を折り畳んだ態様を示す全体斜視図、図３は一対の側壁および他の一対の側壁をともに折り畳んだ態様を示す全体斜視図、図４は図３において破線円Ｘで囲んだ部分の拡大斜視図、図５は図４におけるＹ−Ｙ線拡大断面図、図６は図４におけるＺ−Ｚ線拡大断面図である。
【０００１１】
図示のコンテナは、底壁１と、その四辺にそれぞれ軸止め構造により起倒自在に連結された４つの側壁、すなわち対向する一対の側壁２ａ，２ｂ、対向する他の一対の側壁２ｃ，２ｄとで構成されている。
【００１２】
このコンテナにおいて、底壁１および４つの側壁２ａ〜２ｄは、熱可塑性合成樹脂（例えば、高密度ポリエチレン、ポリプロピレン、エンジニアリングプラスチック）をブロー成形してなる中空二重壁構造のものである。
【００１３】
コンテナにおいて、底壁１の各辺に連結される側壁２ａ〜２ｄのうち対向する一対の側壁２ａ，２ｂは、底壁１の上面に接して折り畳めるように底壁１側に軸止めされており、対向する他の一対の側壁２ｃ，２ｄは、底壁１の上面に接して折り畳んだ上記一対の側壁２ａ，２ｂの上面に接して折り畳めるように底壁１側に軸止めされている。
【００１４】
すなわち、底壁１の四隅部には、それぞれ軸止め部３が底壁１の上面から立ち上げ形成されており、４つの軸止め部３には一対の側壁２ａ，２ｂが底壁１の上面に接して折り畳めるように軸止めされ、さらに他の側壁２ｃ，２ｄが底壁１の上面に接して折り畳んだ上記一対の側壁２ａ，２ｂの上面に接して折り畳めるように軸止めされている。４，４は側壁２ｃ，２ｄの止め軸、５，５は側壁２ａ、２ｂの止め軸であり、これら止め軸４，４、５，５は、それぞれ底壁１の軸止め部３に設けた孔に嵌入して軸止めする。
【００１５】
一対の側壁２ａ，２ｂおよび他の一対の側壁２ｃ，２ｄのそれぞれの軸止め側端縁には、係止突部６がそれぞれ形成されており、それに対応する底壁１の部位には、係止溝７が形成されており、各係止突部６と係止溝７とによって各側壁２ａ，２ｂ，２ｃ，２ｄの起立係止構造を成しているが、特にこの係止構造は、係止突部６と係止溝７との嵌合状態を保持するものであるから、各側壁２ａ，２ｂ，２ｃ，２ｄの起立保持が確実である。
【００１６】
上記係止突部６と係止溝７とによる起立係止構造において、図５に示すように、係止突部６の先端６ａは水平状を成し、これに対応する係止溝７は水平状の受け部７ａを成している。このため、各側壁２ａ，２ｂ，２ｃ，２ｄを起立させ状態でそれに押し下げ方向の荷重が加わっても、その荷重は係止溝７の受け部７ａに受け止められ、止め軸４，４、５，５による軸止め構造には負担がかからない。そして、各側壁２ａ，２ｂ，２ｃ，２ｄが外方に倒れないように確実な係止状態が保持されるが、各側壁２ａ，２ｂ，２ｃ，２ｄに外側から内向きに少しの打撃を加えることにより、それを底壁１に対して平坦な状態に容易に折り畳むことができる。
【００１７】
各側壁２ａ，２ｂ，２ｃ，２ｄのうち他の一対の側壁２ｃ，２ｄには、その両端の軸止め部３と係止する段部８が形成されており、一対の側壁２ｃ，２ｄには、その両端にも起立係止構造を備えている。一つの側壁２ａ，２ｂの軸止め側には、係止突部６の両側に係止爪９が形成されており、底壁１側には側壁２ｃ，２ｄの起立状態で上記係止爪９が係止する係止受溝１０が形成されている。そして、係止爪９と係止受溝１０には、図６に示すように、各側壁２ａ，２ｂ，２ｃ，２ｄが起立状態で互いに係止する平面部９ａ，１０ａを有しているので、各側壁２ａ，２ｂ，２ｃ，２ｄは正確な垂直姿勢に起立保持されることになる。
【００１８】
本発明に係るコンテナを組み立てるには、図３のように平坦に折り畳まれている状態から、まず他方の一対の側壁２ｃ，２ｄを起立させ、次いで一対の側壁２ａ，２ｂを起立させるだけで、上面が開放した箱状の容器を構成することができる。すなわち、他方の側壁２ｃ、２ｄを起立させると、係止突部６が係止溝７に係止するとともに両端の段部８が軸止め部３に係止して起立状態が確実に保持される。次いで起立させた一対の側壁２ａ，２ｂを起立させると、係止突部６が係止溝７に係止するとともに係止爪９が係止受溝１０に係止して起立状態が確実に保持される。このため、各側壁２ａ，２ｂ，２ｃ，２ｄを上記の順に起立させるだけでコンテナを構成することができる。
【００１９】
コンテナを折り畳むには、まず、一対の側壁２ａ，２ｂを内方に少しの衝撃力を加えて底壁１の上面に接する状態に倒し、次いで他の一対の側壁２ｃ，２ｄを同様に倒して、底壁１上に一対の側壁２ａ，２ｂとその上に他の一対の側壁２ｃ，２ｄを折り畳んで、図３に示すように平坦な態様のコンパクトなものとすることができる。
【００２０】
上記実施の形態に係るコンテナは、ブロー成形により形成し、中空二重壁構造であるので、緩衝性が高いコンテナを得ることができる。
【００２１】
本発明は、図示の実施の形態に限らず、種々他の実施の形態とすることが可能である。すなわち、図示の実施の形態では、底壁１と側壁２ａ，２ｂ，２ｃ，２ｄをいずれも中空二重壁構造としたが、それらは単壁構造であっても発明の目的を達成することができる。
【００２２】
【発明の効果】
本発明によれば、底壁の各辺に起倒自在に連結されている側壁、すなわち対向する一対の側壁および対向する他の一対の側壁とも底壁の上面側に沿って折り畳むことができて、使用しないときには底壁の大きさにコンパクトにまとまって、収納、保管あるいは運搬などに便利であり、コンテナを組み立てる際には、各側壁を起立させるだけで、その起立姿勢の保持が確実に成されて、簡易かつ迅速にコンテナを構成することができる。
【図面の簡単な説明】
【図１】本発明の一実施の形態に係る組立式コンテナの全体斜視図である。
【図２】一対の側壁を折り畳んだ態様を示す全体斜視図である。
【図３】一対の側壁および他の一対の側壁をともに折り畳んだ態様を示す全体斜視図である。
【図４】図３において破線円Ｘで囲んだ部分の拡大斜視図である。
【図５】図４におけるＹ−Ｙ線拡大断面図である。
【図６】図４におけるＺ−Ｚ線拡大断面図である。
【符号の説明】
１  底壁
２ａ，２ｂ  一対の側壁
２ｃ，２ｄ  他の一対の側壁
３  軸止め部
４，５  止め軸
６  係止突部
６ａ  先端
７  係止溝
７ａ  受け部
８  段部
９  係止爪
９ａ  平面部
１０  係止受溝
１０ａ  平面部
【図１】
0003981226.tif 000002
【図２】
0003981226.tif 000003
【図３】
0003981226.tif 000004
【図４】
0003981226.tif 000005
【図５】
0003981226.tif 000006
【図６】
0003981226.tif 000007